(57)【特許請求の範囲】
【請求項１】
平面状に展開したときに、
前後方向に交互に連続して位置する複数ずつの左側山折り線（Ｌ１１）及び左側谷折り線（Ｌ３１）と、
前記左側山折り線（Ｌ１１）及び前記左側谷折り線（Ｌ３１）の右方において、前後方向に交互に連続して位置する複数ずつの右側山折り線（Ｌ１２）及び右側谷折り線（Ｌ３２）と、
前記左側山折り線（Ｌ１１）の右端と前記右側山折り線（Ｌ１２）の左端との間に位置して前方が右斜め方向に傾くように延びた第１谷折り線（Ｌ４１）と、  前記左側谷折り線（Ｌ３１）の右端と前記右側谷折り線（Ｌ３２）の左端との間に位置して前方が左斜め方向に傾くように延びた第１山折り線（Ｌ２１）と、  前記第１谷折り線（Ｌ４１）の前端と前記左側山折り線（Ｌ１１）の前記右端を結んでなる第２山折り線（Ｌ２２）と、
前記第１谷折り線（Ｌ４１）の前端と前記右側山折り線（Ｌ１２）の前記左端を結んでなる第３山折り線（Ｌ２３）と、
前記第１谷折り線（Ｌ４１）の後端と前記左側山折り線（Ｌ１１）の前記右端を結んでなる第４山折り線（Ｌ２４）と、
前記第１谷折り線（Ｌ４１）の後端と前記右側山折り線（Ｌ１２）の前記左端を結んでなる第５山折り線（Ｌ２５）と、
前記第１山折り線（Ｌ２１）の前端と前記左側谷折り線（Ｌ３１）の前記右端とを結んでなる第６の山折り線（Ｌ２６）と、
前記第１山折り線（Ｌ２１）の前端と前記右側谷折り線（Ｌ３２）の前記左端とを結んでなる第２谷折り線（Ｌ４２）と、
前記第１山折り線（Ｌ２１）の後端と前記左側谷折り線（Ｌ３１）の前記右端と結んでなる第３谷折り線（Ｌ４３）と、
前記第１山折り線（Ｌ２１）の後端と前記右側谷折り線（Ｌ３２）の前記左端と結んでなる第７の山折り線（Ｌ２７）と、
前後に隣接して位置する前記第１谷折り線（Ｌ４１）と前記第１山折り線（Ｌ２１）において、前記第１谷折り線（Ｌ４１）の後端と前記第１山折り線（Ｌ２１）の前端とを結んでなる第８山折り線（Ｌ２８）と、
前後に隣接して位置する前記第１山折り線（Ｌ２１）と前記第１谷折り線（Ｌ４１）において、前記第１山折り線（Ｌ２１）の後端と前記第１谷折り線（Ｌ４１）の前端とを結んでなる第９山折り線（Ｌ２９）と、
前後に隣接して位置する前記左側山折り線（Ｌ１１）と前記左側谷折り線（Ｌ３１）において、前方に位置する前記左側山折り線（Ｌ１１）の右端と後方に位置する前記左側谷折り線（Ｌ３１）の右端とを結んでなる第４谷折り線（Ｌ４４）と、
前後に隣接して位置する前記右側谷折り線（Ｌ３２）と前記右側山折り線（Ｌ１２）において、前方に位置する前記右側谷折り線（Ｌ３２）の左端と後方に位置する前記右側山折り線（Ｌ１２）の左端とを結んでなる第５谷折り線（Ｌ４５）とが形成されることを特徴とする濾紙。
【請求項２】
平面状に展開したときに、
前後方向に交互に連続して位置する複数ずつの左側山折り線（Ｌ１１１）及び左側谷折り線（Ｌ１３１）と、
前記左側山折り線（Ｌ１１１）及び前記左側谷折り線（Ｌ１３１）の右方において、前後方向に交互に連続して位置する複数ずつの右側山折り線（Ｌ１１２）及び右側谷折り線（Ｌ１３２）と、
前記左側山折り線（Ｌ１１１）の右端と前記右側山折り線（Ｌ１１２）の左端との間に位置して前方が左斜め方向に傾くように延びた第１谷折り線（Ｌ１４１）と、
前記左側谷折り線（Ｌ１３１）の右端と前記右側谷折り線（Ｌ１３２）の左端との間に位置して前方が右斜め方向に傾くように延びた第１山折り線（Ｌ１２１）と、
前記第１谷折り線（Ｌ１４１）の前端と前記右側山折り線（Ｌ１１２）の前記左端を結んでなる第２山折り線（Ｌ１２２）と、
前記第１谷折り線（Ｌ１４１）の前端と前記左側山折り線（Ｌ１１１）の前記右端を結んでなる第３山折り線（Ｌ１２３）と、
前記第１谷折り線（Ｌ１４１）の後端と前記右側山折り線（Ｌ１１２）の前記左端を結んでなる第４山折り線（Ｌ１２４）と、
前記第１谷折り線（Ｌ１４１）の後端と前記左側山折り線（Ｌ１１１）の前記右端を結んでなる第５山折り線（Ｌ１２５）と、
前記第１山折り線（Ｌ１２１）の前端と前記右側谷折り線（Ｌ１３２）の前記左端とを結んでなる第６の山折り線（Ｌ１２６）と、
前記第１山折り線（Ｌ１２１）の前端と前記左側谷折り線（Ｌ１３１）の前記右端とを結んでなる第２谷折り線（Ｌ１４２）と、
前記第１山折り線（Ｌ１２１）の後端と前記右側谷折り線（Ｌ１３２）の前記左端と結んでなる第３谷折り線（Ｌ１４３）と、
前記第１山折り線（Ｌ１２１）の後端と前記左側谷折り線（Ｌ１３１）の前記右端と結んでなる第７の山折り線（Ｌ１２７）と、
前後に隣接して位置する前記第１谷折り線（Ｌ１４１）と前記第１山折り線（Ｌ１２１）において、前記第１谷折り線（Ｌ１４１）の後端と前記第１山折り線（Ｌ１２１）の前端とを結んでなる第８山折り線（Ｌ１２８）と、
前後に隣接して位置する前記第１山折り線（Ｌ１２１）と前記第１谷折り線（Ｌ１４１）において、前記第１山折り線（Ｌ１２１）の後端と前記第１谷折り線（Ｌ１４１）の前端とを結んでなる第９山折り線（Ｌ１２９）と、
前後に隣接して位置する前記右側山折り線（Ｌ１１２）と前記右側谷折り線（Ｌ１３２）において、前方に位置する前記右側山折り線（Ｌ１１２）の左端と後方に位置する前記右側谷折り線（Ｌ１３２）の左端とを結んでなる第４谷折り線（Ｌ１４４）と、
前後に隣接して位置する前記左側谷折り線（Ｌ１３１）と前記左側山折り線（Ｌ１１１）において、前方に位置する前記左側谷折り線（Ｌ１３１）の右端と後方に位置する前記左側山折り線（Ｌ１１１）の右端とを結んでなる第５谷折り線（Ｌ１４５）とが形成されることを特徴とする濾紙。
【請求項３】
請求項１〜２のいずれかに記載の濾紙を、流体取入口と流体排出口とが形成されたケース内に保持したことを特徴とするフィルタ装置。
【発明の詳細な説明】
【０００１】
【発明の属する技術分野】
本発明は、通過する流体からごみや埃等を除去する濾紙と、この濾紙を備えて構成されるフィルタ装置に関する。
【０００２】
【従来の技術】
フィルタ装置は不織布等を折り畳んでなる濾紙を、流体取入口と流体排出口とが形成されたケース内に保持した構成となっており、流体取入口より取り入れられた流体（例えば空気やオイル）中に含まれるごみや埃等は、流体排出口よりケース外に排出されるまでの間に濾紙において除去される。
【０００３】
図６は従来のフィルタ装置の一例としてのエアクリーナーの構成を示したものである。このエアクリーナーにおいては、空気取入口８２が形成されて下方に開口した形状の上部ケース８１と、空気排出口８６が形成されて上方に開口した形状の下部ケース８５との間に山折り部９１と谷折り部９２とが交互に位置するように蛇腹状に折り畳まれた濾紙９０が上下の枠部材９５，９６により上下方向から挟持された状態で収容設置されており、空気取入口８２より取り入れられた空気は濾紙９０においてごみや埃等が除去された後、空気排出口８６よりエアクリーナーの外部に排出される。上部ケース８１と下部ケース８５とは、下部ケース８５に設けられたレバーラッチ８８を上部ケース８１に設けられた係止突起８４に係止することにより着脱自在に結合されるようになっており、内部に収容された濾紙９０は定期的に清掃若しくは新しいものに交換できるようになっている。
【０００４】
【発明が解決しようとする課題】
ところで、このような従来のフィルタ装置において、濾紙が蛇腹状に折り畳まれた状態でケース内に収容されるのは、限られたケース内のスペースにおいて濾紙の表面積（濾過面積）をできるだけ大きくしたいがためである。濾紙をできるだけ小さく折り畳むことができれば、より広い濾過面積を確保することができるので、そのフィルタ装置における濾紙の交換時期或いは寿命を長引かせることができる。また、同じ大きさの濾紙であっても、より小さく折り畳むことができれば、同じ濾過面積（濾過性能）を有しつつ、ケースの大きさをより小さくすることができるので、フィルタ装置を従来に比してコンパクトなものにすることができる。このようなことから、従来とほぼ同一形状でありながらできるだけ小さく折り畳まれた濾紙、及びこのような濾紙が用いられたフィルタ装置が望まれていた。
【０００５】
本発明はこのような問題に鑑みてなされたものであり、従来とほぼ同一形状でありながらできるだけ小さく折り畳まれた濾紙、及びこのような濾紙が用いられて全体が小型化されたフィルタ装置、或いは従来とほぼ同一大きさでありながらごみや埃の除去性能を向上させて濾紙の交換頻度を少なくすることができる構成のフィルタ装置を提供することを目的としている。
【０００６】
【課題を解決するための手段】
このような目的を達成するため、本発明に係る濾紙は、平面状に展開したときに、前後方向に交互に連続して位置する複数ずつの左側山折り線（Ｌ１１）及び左側谷折り線（Ｌ３１）と、左側山折り線（Ｌ１１）及び左側谷折り線（Ｌ３１）の右方において、前後方向に交互に連続して位置する複数ずつの右側山折り線（Ｌ１２）及び右側谷折り線（Ｌ３２）と、左側山折り線（Ｌ１１）の右端と右側山折り線（Ｌ１２）の左端との間に位置して前方が右斜め方向に傾くように延びた第１谷折り線（Ｌ４１）と、左側谷折り線（Ｌ３１）の右端と右側谷折り線（Ｌ３２）の左端との間に位置して前方が左斜め方向に傾くように延びた第１山折り線（Ｌ２１）と、第１谷折り線（Ｌ４１）の前端と左側山折り線（Ｌ１１）の右端を結んでなる第２山折り線（Ｌ２２）と、第１谷折り線（Ｌ４１）の前端と右側山折り線（Ｌ１２）の左端を結んでなる第３山折り線（Ｌ２３）と、第１谷折り線（Ｌ４１）の後端と左側山折り線（Ｌ１１）の右端を結んでなる第４山折り線（Ｌ２４）と、第１谷折り線（Ｌ４１）の後端と右側山折り線（Ｌ１２）の左端を結んでなる第５山折り線（Ｌ２５）と、第１山折り線（Ｌ２１）の前端と左側谷折り線（Ｌ３１）の右端とを結んでなる第６の山折り線（Ｌ２６）と、第１山折り線（Ｌ２１）の前端と右側谷折り線（Ｌ３２）の左端とを結んでなる第２谷折り線（Ｌ４２）と、第１山折り線（Ｌ２１）の後端と左側谷折り線（Ｌ３１）の右端と結んでなる第３谷折り線（Ｌ４３）と、第１山折り線（Ｌ２１）の後端と右側谷折り線（Ｌ３２）の左端と結んでなる第７の山折り線（Ｌ２７）と、前後に隣接して位置する第１谷折り線（Ｌ４１）と第１山折り線（Ｌ２１）において、第１谷折り線（Ｌ４１）の後端と第１山折り線（Ｌ２１）の前端とを結んでなる第８山折り線（Ｌ２８）と、前後に隣接して位置する第１山折り線（Ｌ２１）と第１谷折り線（Ｌ４１）において、第１山折り線（Ｌ２１）の後端と第１谷折り線（Ｌ４１）の前端とを結んでなる第９山折り線（Ｌ２９）と、前後に隣接して位置する左側山折り線（Ｌ１１）と左側谷折り線（Ｌ３１）において、前方に位置する左側山折り線（Ｌ１１）の右端と後方に位置する左側谷折り線（Ｌ３１）の右端とを結んでなる第４谷折り線（Ｌ４４）と、前後に隣接して位置する右側谷折り線（Ｌ３２）と右側山折り線（Ｌ１２）において、前方に位置する右側谷折り線（Ｌ３２）の左端と後方に位置する右側山折り線（Ｌ１２）の左端とを結んでなる第５谷折り線（Ｌ４５）とが形成される。
【０００８】
また或いは、本発明に係る濾紙は、平面状に展開したときに、前後方向に交互に連続して位置する複数ずつの左側山折り線（Ｌ１１１）及び左側谷折り線（Ｌ１３１）と、左側山折り線（Ｌ１１１）及び左側谷折り線（Ｌ１３１）の右方において、前後方向に交互に連続して位置する複数ずつの右側山折り線（Ｌ１１２）及び右側谷折り線（Ｌ１３２）と、左側山折り線（Ｌ１１１）の右端と右側山折り線（Ｌ１１２）の左端との間に位置して前方が左斜め方向に傾くように延びた第１谷折り線（Ｌ１４１）と、左側谷折り線（Ｌ１３１）の右端と右側谷折り線（Ｌ１３２）の左端との間に位置して前方が右斜め方向に傾くように延びた第１山折り線（Ｌ１２１）と、第１谷折り線（Ｌ１４１）の前端と右側山折り線（Ｌ１１２）の左端を結んでなる第２山折り線（Ｌ１２２）と、第１谷折り線（Ｌ１４１）の前端と左側山折り線（Ｌ１１１）の右端を結んでなる第３山折り線（Ｌ１２３）と、第１谷折り線（Ｌ１４１）の後端と右側山折り線（Ｌ１１２）の左端を結んでなる第４山折り線（Ｌ１２４）と、第１谷折り線（Ｌ１４１）の後端と左側山折り線（Ｌ１１１）の右端を結んでなる第５山折り線（Ｌ１２５）と、第１山折り線（Ｌ１２１）の前端と右側谷折り線（Ｌ１３２）の左端とを結んでなる第６の山折り線（Ｌ１２６）と、第１山折り線（Ｌ１２１）の前端と左側谷折り線（Ｌ１３１）の右端とを結んでなる第２谷折り線（Ｌ１４２）と、第１山折り線（Ｌ１２１）の後端と右側谷折り線（Ｌ１３２）の左端と結んでなる第３谷折り線（Ｌ１４３）と、第１山折り線（Ｌ１２１）の後端と左側谷折り線（Ｌ１３１）の右端と結んでなる第７の山折り線（Ｌ１２７）と、前後に隣接して位置する第１谷折り線（Ｌ１４１）と第１山折り線（Ｌ１２１）において、第１谷折り線（Ｌ１４１）の後端と第１山折り線（Ｌ１２１）の前端とを結んでなる第８山折り線（Ｌ１２８）と、前後に隣接して位置する第１山折り線（Ｌ１２１）と第１谷折り線（Ｌ１４１）において、第１山折り線（Ｌ１２１）の後端と第１谷折り線（Ｌ１４１）の前端とを結んでなる第９山折り線（Ｌ１２９）と、前後に隣接して位置する右側山折り線（Ｌ１１２）と右側谷折り線（Ｌ１３２）において、前方に位置する右側山折り線（Ｌ１１２）の左端と後方に位置する右側谷折り線（Ｌ１３２）の左端とを結んでなる第４谷折り線（Ｌ１４４）と、前後に隣接して位置する左側谷折り線（Ｌ１３１）と左側山折り線（Ｌ１１１）において、前方に位置する左側谷折り線（Ｌ１３１）の右端と後方に位置する左側山折り線（Ｌ１１１）の右端とを結んでなる第５谷折り線（Ｌ１４５）とが形成される。
【０００９】
このような濾紙によれば、山折り部の一部と谷折り部の一部それぞれに折り込み部が形成されて全体として中央に圧縮された形状となるので、このような折り込み部が形成されていない従来のものと比較した場合、折り畳み前の濾紙の形状が同じであれば、同じ濾過面積を有しつつ全体的に幅の小さい（細い）フィルタ装置を構成することができる。また、折り畳み後の濾紙の幅を従来と同じにするのであれば、折り畳み前の濾紙の幅をより大きくすることができるので濾過面積が大きくなり、ごみや埃の除去性能を高めることができる。
【００１０】
また、本発明に係るフィルタ装置（例えば、実施形態におけるエアクリーナー５０）は、上記濾紙を流体取入口と流体排出口とが形成されたケース内に保持して構成する。このようなフィルタ装置では上記本発明に係る濾紙を有しているので、従来と同じ濾過面積を確保しつつ全体のサイズをコンパクトなものにすることができる。或いは、同じ全体サイズであっても、濾過面積を従来に比して大きくすることができるので、濾紙の交換頻度を低減することができる。
【００１１】
【発明の実施の形態】
以下、図面を参照して本発明の好ましい実施形態について説明する。図１〜図３は本発明に係る濾紙の一実施形態を示している。図１は本実施形態に係る濾紙１を上方斜めから見た斜視図であり、図２は本濾紙１を下方斜めから見た斜視図である。また、図３は本濾紙１を平面状に展開した展開図を、図１における上方が上面になるように示したものである。この図３においては山折り線を一点鎖線で示し、谷折り線を破線で示している。
【００１２】
本発明に係る濾紙１は、図３に示す展開図に従って折り畳むことにより得られるが、このようにして得られる濾紙１は、山折り部１０，１０，…と谷折り部２０，２０，…とが交互に位置するように折り畳まれた形状になる。そして、山折り部１０の折り線（山折り線Ｌ１１，Ｌ１２）と斜めに交わる線（谷折り線Ｌ４１）を谷折りしてこの山折り部１０の一部（ここではほぼ中央部）に凹状の折り込み部１５が形成されるとともに、谷折り部２０の折り線（谷折り線Ｌ３１，Ｌ３２）と斜めに交わる線（山折りＬ２１）を山折りして谷折り部２０の一部（ここではほぼ中央部）に凸状（但し、図２のように本濾紙１の下方より見た場合は凹状となる）の折り込み部２５が形成される。折り畳み前における濾紙１の形状は長方形であることが好ましく、長短比が大きければより好ましい。濾紙１の材料は不織布が好ましいが、これに限られるものではない。
【００１３】
本濾紙は図３に示すように、平面状に展開した場合、前後方向に交互に連続して位置する複数ずつの左側山折り線Ｌ１１及び左側谷折り線Ｌ３１と、左側山折り線Ｌ１１及び左側谷折り線Ｌ３１の右方において、前後方向に交互に連続して位置する複数ずつの右側山折り線Ｌ１２及び右側谷折り線Ｌ３２とが形成される。また、左側山折り線Ｌ１１の右端と右側山折り線Ｌ１２の左端との間の位置には前方が右斜め方向に傾くように延びた第１谷折り線Ｌ４１が形成され、左側谷折り線Ｌ３１の右端と右側谷折り線Ｌ３２の左端との間の位置には前方が左斜め方向に傾くように延びた第１山折り線Ｌ２１が形成される。
【００１４】
更に、第１谷折り線Ｌ４１の前端と左側山折り線Ｌ１１の右端を結んでなる第２山折り線Ｌ２２と、第１谷折り線Ｌ４１の前端と右側山折り線Ｌ１２の左端を結んでなる第３山折り線Ｌ２３と、第１谷折り線Ｌ４１の後端と左側山折り線Ｌ１１の右端を結んでなる第４山折り線Ｌ２４と、第１谷折り線Ｌ４１の後端と右側山折り線Ｌ１２の左端を結んでなる第５山折り線Ｌ２５とが形成され、第１山折り線Ｌ２１の前端と左側谷折り線Ｌ３１の右端とを結んでなる第６の山折り線Ｌ２６と、第１山折り線Ｌ２１の前端と右側谷折り線Ｌ３２の左端とを結んでなる第２谷折り線Ｌ４２と、第１山折り線Ｌ２１の後端と左側谷折り線Ｌ３１の右端と結んでなる第３谷折り線Ｌ４３と、第１山折り線Ｌ２１の後端と右側谷折り線Ｌ３２の左端と結んでなる第７の山折り線Ｌ２７とが形成される。
【００１５】
更には、前後に隣接して位置する第１谷折り線Ｌ４１と第１山折り線Ｌ２１において、第１谷折り線Ｌ４１の後端と第１山折り線Ｌ２１の前端とを結んでなる第８山折り線Ｌ２８と、前後に隣接して位置する第１山折り線Ｌ２１と第１谷折り線Ｌ４１において、第１山折り線Ｌ２１の後端と第１谷折り線Ｌ４１の前端とを結んでなる第９山折り線Ｌ２９とが形成される。また、前後に隣接して位置する左側山折り線Ｌ１１と左側谷折り線Ｌ３１において、前方に位置する左側山折り線Ｌ１１の右端と後方に位置する左側谷折り線Ｌ３１の右端とを結んでなる第４谷折り線Ｌ４４と、前後に隣接して位置する右側谷折り線Ｌ３２と右側山折り線Ｌ１２において、前方に位置する右側谷折り線Ｌ３２の左端と後方に位置する右側山折り線Ｌ１２の左端とを結んでなる第５谷折り線Ｌ４５とが形成される。
【００１６】
また、本実施形態に係る濾紙１は、図１及び図２に示す濾紙１の左右を反対にした形状にすることも可能であって、これを平面状に展開した場合には、図４に示すように、前後方向に交互に連続して位置する複数ずつの左側山折り線Ｌ１１１及び左側谷折り線Ｌ１３１と、左側山折り線Ｌ１１１及び左側谷折り線Ｌ１３１の右方において、前後方向に交互に連続して位置する複数ずつの右側山折り線Ｌ１１２及び右側谷折り線Ｌ１３２とが形成される。また、左側山折り線Ｌ１１１の右端と右側山折り線Ｌ１１２の左端との間の位置には前方が左斜め方向に傾くように延びた第１谷折り線Ｌ１４１が形成され、左側谷折り線Ｌ１３１の右端と右側谷折り線Ｌ１３２の左端との間の位置には前方が右斜め方向に傾くように延びた第１山折り線Ｌ１２１が形成される。
【００１７】
更に、第１谷折り線Ｌ１４１の前端と右側山折り線Ｌ１１２の左端を結んでなる第２山折り線Ｌ１２２と、第１谷折り線Ｌ１４１の前端と左側山折り線Ｌ１１１の右端を結んでなる第３山折り線Ｌ１２３と、第１谷折り線Ｌ１４１の後端と右側山折り線Ｌ１１２の左端を結んでなる第４山折り線Ｌ１２４と、第１谷折り線Ｌ１４１の後端と左側山折り線Ｌ１１１の右端を結んでなる第５山折り線Ｌ１２５とが形成され、第１山折り線Ｌ１２１の前端と右側谷折り線Ｌ１３２の左端とを結んでなる第６の山折り線Ｌ１２６と、第１山折り線Ｌ１２１の前端と左側谷折り線Ｌ１３１の右端とを結んでなる第２谷折り線Ｌ１４２と、第１山折り線Ｌ１２１の後端と右側谷折り線Ｌ１３２の左端と結んでなる第３谷折り線Ｌ１４３と、第１山折り線Ｌ１２１の後端と左側谷折り線Ｌ１３１の右端と結んでなる第７の山折り線Ｌ１２７とが形成される。
【００１８】
更には、前後に隣接して位置する第１谷折り線Ｌ１４１と第１山折り線Ｌ１２１において、第１谷折り線Ｌ１４１の後端と第１山折り線Ｌ１２１の前端とを結んでなる第８山折り線Ｌ１２８と、前後に隣接して位置する第１山折り線Ｌ１２１と第１谷折り線Ｌ１４１において、第１山折り線Ｌ１２１の後端と第１谷折り線Ｌ１４１の前端とを結んでなる第９山折り線Ｌ１２９とが形成される。また、前後に隣接して位置する右側山折り線Ｌ１１２と右側谷折り線Ｌ１３２において、前方に位置する右側山折り線Ｌ１１２の左端と後方に位置する右側谷折り線Ｌ１３２の左端とを結んでなる第４谷折り線Ｌ１４４と、前後に隣接して位置する左側谷折り線Ｌ１３１と左側山折り線Ｌ１１１において、前方に位置する左側谷折り線Ｌ１３１の右端と後方に位置する左側山折り線Ｌ１１１の右端とを結んでなる第５谷折り線Ｌ１４５とが形成される。
【００１９】
これら本発明に係る濾紙においては、山折り部１０の一部と谷折り部２０の一部それぞれに折り込み部（凹状の折り込み部１５と凸状の折り込み部２５）が形成されており、図１の左側（図２では右側）に整列した山折り部１０ａと図１の右側（図２では左側）に整列した山折り部１０ｂとは前後方向に少しずれたものとなり（左右の谷折り部２０ａ，２０ｂについても同様）、その分濾紙１全体が中央に圧縮された形状となる。このため、このような折り込み部１０，２０が形成されていない従来の濾紙と比較した場合、折り畳み前の濾紙の形状が同じであれば、同じ濾過面積を有しつつ全体的に幅の小さい（細い）フィルタ装置を構成することができる。また、折り畳み後の濾紙の幅を従来と同じにするのであれば、折り畳み前の濾紙の幅をより大きくすることができるので濾過面積が大きくなり、ごみや埃の除去性能を高めることができる。
【００２０】
図５は上記本発明に係る濾紙１を備えたフィルタ装置の一実施形態であるエアクリーナー５０の構成を（Ａ），（Ｂ），（Ｃ）の順に組み立てが進行するように示した分解斜視図である。このエアクリーナー５０は、空気取入口６２が形成されて下方に開口した形状の上部ケース６１と、空気排出口６６が形成されて上方に開口した形状の下部ケース６５とからなるケース６０内に上記本発明に係る濾紙１を収容した構成となっている。濾紙１は上下の枠部材７１，７２により上下方向から挟持された上でケース６０内に着脱自在に取り付けられる。上部ケース６１と下部ケース６５は、下部ケース６５の前後に設けられた２つのレバーラッチ６８（図５では前方側のみ示す）のフック部６８ａを上部ケース６１の前後に設けられた係止突起６４（図５では前方側のみ示す）に係止した上でレバーラッチ６８のレバー部６８ａを揺動させてロックすることにより両ケース６１，６５を結合することができる。また、これら両ケース６１，６５の結合は自在に解除することができるので、内部に収容された濾紙１は定期的に清掃或いは新しいものに交換することができる。
【００２１】
このようなエアクリーナー５０は例えば、自動車や自動二輪車を始めとするエンジンの吸気流路中に設置される。空気取入口６２より取り入れられた外部からの空気は上部ケース６１内に入って濾紙１を上方から下方へ通過し、下部ケース６５より空気排出口６６を通ってケース６１の外部に排出され、エンジン内に取り込まれる。空気取入口６２より取り入れられた空気中に含まれるごみや埃は空気が濾紙１を通過するときに除去されるのであるが、本エアクリーナー５０においては上記本発明に係る濾紙１を用いているので、従来と同じ濾過面積を確保しつつ全体のサイズをコンパクトなものにすることができる。或いは、同じ全体サイズであっても、濾過面積を従来に比して大きくすることができるので、濾紙１の交換頻度を低減することができる。
【００２２】
これまで本発明の好ましい実施形態について説明してきたが、本発明の範囲は上述の実施形態において示したものに限定されない。例えば、本発明に係る上記濾紙１の折り方は、図３に示した展開図において、一点鎖線を山折りに、また鎖線を谷折りにするように説明したが、これを反対にして一点鎖線を谷折りに、また鎖線を谷折りにしても構わない。また、本発明に係る濾紙は、山折り部と谷折り部とが交互に位置するように折り畳まれた濾紙において、山折り部の折り線と斜めに交わる線を谷折りしてこの山折り部の一部に凹状の折り込み部を形成するとともに、谷折り部の折り線と斜めに交わる線を山折りしてこの谷折り部の一部に凸状の折り込み部を形成して全体が中央に圧縮された形状となればよい（平面状に展開したときの展開図が必ずしも図３又は図４に示した通りになる必要はない）。
【００２３】
また、山折り部の一部に形成される凹状の折り込み部と、谷折り部の一部に形成される凸状の折り込み部は、上記実施形態に示したように、山折り部又は谷折り部の中央に設けられる必要はなく、端に寄っていても構わない。更に、これら山折り部に設けられる凹状の折り込み部及び谷折り部に設けられる凸状の折り込み部は、一つの山折り部或いは谷折り部当たりに複数ずつ設けられていてもよく、このようにすることにより、濾紙をより小さく折り畳むことが可能となる。
【００２４】
また、上述の実施形態において示したフィルタ装置のケースの形状は一つの例に過ぎず、空気取入口と空気排出口とが形成されて本発明に係る濾紙を内部に収容できるものであれば、どのような形状を有していても構わない。更に、本発明に係るフィルタ装置は空気中のごみや埃等を除去するもの（すなわちエアクリーナー）に限られず、液体中のごみや埃等を除去するものであってもよい。すなわち、本発明に係るフィルタ装置は、流体取入口と流体排出口とを有して構成されたケース内に本発明に係る濾紙が保持されていればよく、ごみや埃を濾過する対象は空気に限られずオイル等であってもよい。
【００２５】
【発明の効果】
以上説明したように、本発明に係る濾紙によれば、山折り部の一部と谷折り部の一部それぞれに折り込み部が形成されて全体として中央に圧縮された形状となるので、このような折り込み部が形成されていない従来のものと比較した場合、折り畳み前の濾紙の形状が同じであれば、同じ濾過面積を有しつつ全体的に幅の小さい（細い）フィルタ装置を構成することができる。また、折り畳み後の濾紙の幅を従来と同じにするのであれば、折り畳み前の濾紙の幅をより大きくすることができるので濾過面積が大きくなり、ごみや埃の除去性能を高めることができる。
【００２６】
また、本発明に係るフィルタ装置によれば、上記本発明に係る濾紙を有しているので、従来と同じ濾過面積を確保しつつ全体のサイズをコンパクトなものにすることができる。或いは、同じ全体サイズであっても、濾過面積を従来に比して大きくすることができるので、濾紙の交換頻度を低減することができる。
【図面の簡単な説明】
【図１】本実施形態に係る濾紙１を上方斜めから見た斜視図である。
【図２】本濾紙を下方斜めから見た斜視図である。
【図３】本濾紙を平面状に展開した展開図を、図１における上方が上面になるように示したものである。
【図４】本発明の別形態に係る濾紙の部分展開図である。
【図５】本発明に係る濾紙を有してなるフィルタ装置の一実施形態であるエアクリーナーの構成を（Ａ），（Ｂ），（Ｃ）の順に組み立てが進行するように示した分解斜視図である。
【図６】従来のフィルタ装置の一例であるエアクリーナーの構成を示す分解斜視図である。
【符号の説明】
１      濾紙
１０    山折り部
１５    凹状の折り込み部
２０    谷折り部
２５    凸状の折り込み部
５０    エアクリーナー（フィルタ装置）
６０    ケース
６１    上部ケース
６２    空気取入口
６４    係止突起
６５    下部ケース
６６    空気排出口
６８    レバーラッチ
【図１】
0004113707.tif 000002
【図２】
0004113707.tif 000003
【図３】
0004113707.tif 000004
【図４】
0004113707.tif 000005
【図５】
0004113707.tif 000006
【図６】
0004113707.tif 000007